(57)【要約】      （修正有）【課題】食品用包装容器に見栄えの良い状態で添付することができ、食品用包装容器への添付時間が短縮できる調味料袋を提供する。【解決手段】調味料袋１の片面シート材２１の表面に、のり付け具５の押圧部材５６を押し付けて、基材５４の粘着剤をシート材２１に転写する。これにより、調味料袋１側に粘着部２１１が形成される。粘着部２１１は、食品容器の外側面に貼り付くことにより、調味料袋１を食品容器に添付することができる。【選択図】図４
0003163582.tif 000002
【実用新案登録請求の範囲】
【請求項１】
食品を収容する容器に添付される調味料袋であって、
巻き取られた基材の一方の面に粘着剤を担持するのり付け具を用い、前記基材の他方の面に接触する押圧部材を、前記調味袋の表面に前記基材の一方の面を押し付けつつ、滑らせることにより、前記基材を繰り出しながら表面に粘着剤を転写させることにより、粘着部が設けられていることを特徴とする調味料袋。
【請求項２】
調味料袋は、
調味料を収容する収容部と、
該収容部に連通し、調味料袋の端部に切り込みを入れることにより、外部と連通して調味料の押し出し口となる排出部を備え、
前記粘着部は、前記排出部を避けて設けられている請求項１に記載の調味料袋。
【考案の詳細な説明】
【技術分野】
【０００１】
この考案は、食品用包装容器に添付される調味料袋に係り、詳しくは、食品用包装容器に粘着剤によって貼り付けられる調味料袋に関するものである。
【背景技術】
【０００２】
従来、たまご焼きなどの惣菜や、弁当などは、密閉性の高いプラスチック製の容器に入れた状態で工場から出荷され、販売されている。このような食品入りの容器は、工場で密封され、消費者の手に渡った時点で開封されるが、調理済みの商品であるため、調理されることなく、開封した時点でそのまま食される場合を想定して、醤油などの調味料が容器に添付されることが多い。
【０００３】
調味料は、ビニールなどの樹脂シート等を袋状にしたものに密封される。そして、この調味料が入った調味料袋は、セロテープなどの粘着テープによって、上記食品の包装容器の外側に添付される。
【先行技術文献】
【特許文献】
【０００４】
【特許文献１】実用新案登録第３０７６７７４号
【考案の概要】
【考案が解決しようとする課題】
【０００５】
粘着テープで、食品容器に調味料袋を添付する工程としては、例えば以下のようなものがある。１）調味料袋を手に取り、２）調味料袋の所定の大きさに丸め（粘着テープの使う長さを短く節約できるようにするため）、３）左手で商品（容器）を取って左手親指で調味料袋を、貼り付ける場所に押さえつけ、４）調味料袋の上から粘着テープを貼って容器の外側に固定する。
【０００６】
このような工程は、手間がかかり、製品出荷までの時間が掛かっていた。また、粘着テープを使った場合、一度剥がすと、粘着力が落ち、再貼り付けが難しくなるといった問題があった。特に、電子レンジで容器内の食べ物を温める場合には、粘着テープを剥がして調味料袋を一度剥がす必要があり、販売する際に電子レンジで温めるコンビニエンスストアなどでは、上記不都合は頻繁に生じていた。
【０００７】
さらに、粘着テープで調味料袋をとめる場合には、剥がす際にテープの縁を容易に判別できるように、透明ではなく、色つきのテープを用いる。しかし、色つきテープでは、かえって見栄えが悪くなり、商品イメージの低下を招いていた。テープによって調味料袋を容器にとりつけた場合、テープからはみ出た部分が容器の外際に膨らみ、商品を陳列し、あるいは商品を梱包する際に邪魔となる、といった問題もあった。テープを使用した場合、テープの欠片などが容器内の食品に混入する恐れがあり、食品加工の現場で、テープを用いることは好ましいことではなかった。
【０００８】
この考案は、食品用包装容器に見栄えの良い状態で添付することができ、食品用包装容器への添付時間が短縮できる調味料袋を提供することを目的とするものである。
【課題を解決するための手段】
【０００９】
以上のような問題を解決する本考案は、以下のような構成を有する。  
（１）  食品を収容する容器に添付される調味料袋であって、
巻き取られた基材の一方の面に粘着剤を担持するのり付け具を用い、前記基材の他方の面に接触する押圧部材を、前記調味袋の表面に前記基材の一方の面を押し付けつつ、滑らせることにより、前記基材を繰り出しながら表面に粘着剤を転写させることにより、粘着部が設けられていることを特徴とする調味料袋。
【００１０】
（２）  調味料袋は、
調味料を収容する収容部と、
該収容部に連通し、調味料袋の端部に切り込みを入れることにより、外部と連通して調味料の押し出し口となる排出部を備え、
前記粘着部は、前記排出部を避けて設けられている請求項１に記載の調味料袋。
【考案の効果】
【００１１】
請求項１記載の考案によれば、粘着剤を表面に有しているので、テープなどによって容器の外観が損なわれることがない。表面に沿って粘着剤が設けられているので、容器表面に湾曲に沿って調味料袋の全面を貼り付けることができる。このため、調味料袋が外側に膨らむことがなく、陳列、梱包が容易となる。押圧部材によって粘着剤が確実に表面に転写されているので、調味料袋を容器から剥がした際に、粘着部が容器側に残ることは少ない。このため、コンビニエンスストアなどで、電子レンジ加熱する際に、調味料袋を剥がし、再度貼り付けるといった作業を行なった場合、粘着部の粘着性が極度に損なわれる恐れが少ない。また、基材は容器の周囲に残らず、回収されるので、容器内の食品に粘着剤やテープの欠片などが混入する恐れも少ない。従来の粘着テープを使用する場合に比べて食品容器に調味料袋を添付する手間や時間が短縮される。
【００１２】
請求項２記載の考案によれば、排出部を避けて粘着部が設けられているので、切り込みを入れる作業が容易となる。
【図面の簡単な説明】
【００１３】
【図１】本考案の調味料袋の全体平面図である。
【図２】本考案の調味料袋の断面側面図である。
【図３】のり付け具の側面図である。
【図４】のり付け状態を示す調味料袋の部分断面図である。
【図５】本考案の調味料袋を食品容器に添付した状態を示す全体斜視図である。
【考案を実施するための形態】
【００１４】
以下、本考案の好適実施形態について、添付図面に基づいて詳細に説明する。図１は、本考案の調味料袋１の全体平面図、図２は同じく断面図である。この調味料袋１は、所望の形状（この実施形態では四角形）に切り出された２枚の樹脂製のシート材２１、２２を重ね合わせ、周端辺３１、３２、３３、３４を熱圧着により密封することにより内側に、調味料を収容するための密封空間である収容部４を供えている。熱圧着により、調味料袋１は、周端部に圧着しろ３５が形成される。圧着しろ３５には、収容部４側の一部に、圧着されていない部分を有し、この未圧着部分は収容部４に連通し、排出部４１となっている。この排出部４１の近傍には、圧着しろ３５の外端に切り込み起点４２が設けられており、この切り込み起点４２を起点として、調味料袋１の端に切り込みを入れることで、排出部４１の先端側が切り取られ、調味料の押し出し口となる構成となっている。調味料袋１の片面のシート２１には、表面に粘着部２１１が設けられており、この粘着部２１１は、排出部４１に重ならない部分に設けられている。すなわち、切り込み起点４２から切り込みを入れた際に、粘着部２１１に切り込みが達する前に、排出部４１に切り込みが入る構成となっている。
【００１５】
図３は、のり付け具５の側面図である。のり付け具５は、ケーシング５１と、ケーシング５１内に回動自在に配置された繰り出し部材５２と巻取り部材５３と、繰り出し部材５２に一端が巻き取られ、他端が巻取り部材５３に接続されているテープ状の基材５４と、基材５４の片面に担持された粘着剤５５と、基材５４をケーシング５１の外側に押し出した状態で保持する押圧部材５６とを備えている。押圧部材５６は、基材５４に対して、粘着剤５５の担持されていない面に当接し、粘着剤５５が、ケーシング５１の外側に露出する構成となっている。使用前の状態にあっては、繰り出し部材５２に、粘着剤５５が担持されている基材５４が巻き取られており、糊付けが行なわれる際に、基材５４が繰り出し部材５２から繰り出されて、巻取り部材５３に巻き取られる構成となっている。基材５４は、押圧部材５６の先端部分で折り返して巻取り部材５３に巻き取られ、この折り返し部分にて、基材５４の片面に保持されている粘着剤５５が、調味料袋１の表面に転写される。
【００１６】
基材５４の粘着剤５５が設けられていない側の面は、粘着剤が付着しにくい加工が施されており、繰り出し部剤５２に巻き取られた状態で、粘着剤が付着しない構成となっている。
【００１７】
このようなのり付け具５によって粘着剤を所望の位置に貼り付けるには、以下のように使用する。粘着剤を転写する面に対して、押圧部材５６によって基材５４を押し付け、転写面上を滑らせる。これにより、押圧部材５６からの圧力によって、粘着剤は基材５４から離れて転写面に転写され、基材５４のみが巻取り部材５３に巻き取られる。鋭角状に尖った押圧部材５６によって粘着剤がシート材２１の表面に圧着させられるので、押圧部分に押し付ける力が集中し、粘着剤は確実に表面側へ接着されることとなる。
【００１８】
以上のように構成されたのり付け具５で、調味料袋１に粘着剤を転写すると、押圧部材５６で調味料袋１の表面に基材５４の粘着剤５５を押し付けた際、調味料袋１の一方のシート材２１が他方のシート材２２に密着して、調味料袋１が載っている面６によってシート材２１が支持される。このため、押圧部材５６からの圧力はシート材２１に確実に伝わり、粘着剤はシート材２１の表面に強固に転写されることとなる。収容部４内の調味料が液体や半流動物である場合には、押圧部材５６の移動とともに流動するため、常時押圧部材５６からの転写圧力は変わらず、粘着部２１１の全面に渡って同じ押圧力で転写されることとなる。このような作用を発揮するためには、押圧部材５６の先端は、鋭角状になっていることが好ましいが、接触部分の面積が小さければ、鈍角であっても良く、小さな円弧状であってもよい。
【００１９】
以上のように構成された調味料袋１は、図５に示されているように、食品容器７の外側側面に貼着される。容器の表面が湾曲している場合には、湾曲面に沿って調味料袋１を貼り付けることができ、外観を損なうことなく、梱包の際の容積を増やすこともない。調味料袋１を添付位置は、ラッピングされた上面でよく、容器の底面であってもよい。
【００２０】
以上説明した実施形態においては、調味料袋１の形状は他の多角形形状であってもよい。また、封止パターンは、図１に示されているものに限らず、例えば、１枚のシート材を折り返し、折り返し部分を除く端辺部分を密封して構成してもよい。或いは、シート材を一旦筒状に形成し、次に両端開口部を密封した構成であってもよい。収容される調味料は、醤油、ソース、そばつゆ、と言った液体状のもの、おろし生姜、大根おろし、マヨネーズなどの半流動性のもの、こしょう、山椒、とうがらしなどの粉末状のものなどが挙げられる。
【符号の説明】
【００２１】
１  調味料袋
２１、２２  シート材
２１１  粘着部
３１〜３４  周端辺
３５  圧着しろ
４  収容部
４１  排出部
４２  切り込み起点
５  のり付け具
５１  ケーシング
５２  繰り出し部材
５３  巻取り部材
５４  基材
５５  粘着剤
５６  押圧部材
【図１】
0003163582.tif 000003
【図２】
0003163582.tif 000004
【図３】
0003163582.tif 000005
【図４】
0003163582.tif 000006
【図５】
0003163582.tif 000007